(57)【要約】【課題】本発明は、隣接した電気コネクタと多点接触で、かつ大きな接触力を持っていることによって、電気的に接続する安定性を向上させる電気コネクタ端子の提供する。【解決手段】本発明の電気コネクタ端子は、ワイヤー材料から纏ってなる複数の巻き数の構造であって、絶縁本体内に収容され、隣接した両電気部材を電気的に導接させ、複数の第１接触部、第２接触部及び絶縁本体と弾性的に当接した当接部を含む。かつ該第１接触部、第２接触部はそれぞれ対応した電気部材に反らせ、突出した複数の接触点を突設してなる。【選択図】　　　　図２
2004039619.tif 000002
【特許請求の範囲】
【請求項１】
電気コネクタの絶縁本体内に収容され、隣接した両電子部材を電気的に接続させる電気コネクタ端子であって、導電材料からなる筒状に構成され、第１電子部材と導接した第１接触部及び第２電子部材と導接した第２接触部を含み、前記筒状の端子は第１接触部と第２接触部の曲率半径がその隣接した部の曲率半径より小さく形成され、かつ第１接触部、第２接触部はそれぞれ対応した電子部材に対向して突出され、かつそれぞれ絶縁本体の外部に延出されたことにより、端子と電子部材との間はより大きい接触力を持っていることを特徴とする電気コネクタ端子。
【請求項２】
前記電気コネクタ端子の両端部は、絶縁本体の端子孔と弾性的に当接した当接部が設けられていることを特徴とする請求項１記載の電気コネクタ端子。
【請求項３】
前記電気コネクタ端子の横断面は概略菱形に構成されたことを特徴とする請求項１記載の電気コネクタ端子。
【請求項４】
前記電気コネクタ端子は、導電のワイヤー材料から複数の巻き数を纏ってなる筒状に構成されたことを特徴とする請求項１記載の電気コネクタ端子。
【請求項５】
前記電気コネクタ端子は、シート状の導電材料から纏ってなる筒状に構成されたことを特徴とする請求項１記載の電気コネクタ端子。
【請求項６】
隣接した第１、第２電子部材を電気的に接続させたための電気コネクタであって、
複数の端子収容孔を設けた絶縁本体と、
導電のワイヤー材料から纏ってなる筒状に構成され、かつそれぞれ対応した端子収容孔内に収納され、対向し突出された第１接触部と第２接触部を含み、当該第１、第２接触部はそれぞれ絶縁本体の外部に延出され、かつそれぞれ第１、第２電子部材とを電気的に接触させる導電端子と、
を備えたことを特徴とする電気コネクタ。
【請求項７】
前記導電端子の両端部は、絶縁本体の端子孔と弾性的に当接した当接部が設けられたことを特徴とする請求項６記載の電気コネクタ。
【請求項８】
前記導電端子の横断面は概略菱形に構成されたことを特徴とする請求項６記載の電気コネクタ。
【請求項９】
前記筒状の導電端子は導電のワイヤー材料から複数の巻き数を纏ってなっていることを特徴とする請求項６記載の電気コネクタ。
【請求項１０】
前記筒状の導電端子はシート状の導電材料から纏ってなっていることを特徴とする請求項６記載の電気コネクタ。
【請求項１１】
電気コネクタの絶縁本体内に収容され、隣接した両電子部材を電気的に接続させる電気コネクタ端子であって、導電材料から纏ってなるりリング状に構成され、第１電子部材と第２電子部材に対向し突設された第１接触部と第２接触部を含み、かつ該リング状の端子は第１接触部と第２接触部においての曲率半径がその隣接した部の曲率半径より小さく形成されたことを特徴とする電気コネクタ端子。
【請求項１２】
前記電気コネクタ端子の両端部は、絶縁本体の端子孔と弾性的に当接した当接部が設けられたことを特徴とする請求項１１記載の電気コネクタ端子。
【請求項１３】
前記電気コネクタ端子の横断面は菱形に構成されたことを特徴とする請求項１１記載の電気コネクタ端子。
【請求項１４】
前記電気コネクタ端子は、導電のワイヤー材料から複数の巻き数を纏ってなるリング状に構成されたことを特徴とする請求項１１記載の電気コネクタ端子。
【請求項１５】
隣接した第１、第２電子部材を電気的接続させる電気コネクタであって、
複数の端子収容孔を設けた絶縁本体と、
導電材料からなるリング状に構成され、かつそれぞれ対応した端子収容孔に収容され、対向し突出された第１接触部と第２接触部を含み、当該第１、第２接触部はそれぞれ絶縁本体の外部に延出され、かつそれぞれ第１、第２電子部材とを電気的に接触させた導電端子と、
を備えたことを特徴とする電気コネクタ。
【請求項１６】
前記導電端子の両端部は絶縁本体の端子孔と弾性的に当接した当接部が設けられていることを特徴とする請求項１５記載の電気コネクタ。
【請求項１７】
前記導電端子の横断面は概略菱形に構成されたことを特徴とする請求項１５記載の電気コネクタ。
【請求項１８】
前記リング状の導電端子は導電のワイヤー材料から複数の巻き数を纏ってなっていることを特徴とする請求項１５記載の電気コネクタ。
【発明の詳細な説明】
【０００１】
【発明の属する技術分野】
本発明は電気コネクタ端子に関し、特に、一種隣接した両電子部材を電気的接続させる電気コネクタ端子に関するものである。
【０００２】
【従来の技術】
組付けの便利、体積の縮小などの要因からの考えに従って、電子産品は平面グリッド実装の接続方式が業内に広く採用されている。従来の平面グリッド実装の電気コネクタは一般的に絶縁本体の対向両側面の外部に延出された弾性端子を有し、その他の電子部材と結合するに際して当該端子とその他の電子部材との弾性押圧により、電気的な導接を達成することになる。これらの電気コネクタはもう「Ｃｏｎｎｅｃｔｉｏｎｓ」（Ｍａｒｃｈ　２００２，Ｃｏｎｎｅｃｔｏｒ　Ｓｐｅｃｉｆｉｅｒ）に掲示された。
【０００３】
従来の平面グリッド電気コネクタ端子（例えば、特許文献１乃至特許文献３参照）は、その共通点がその他の電子部材と当接する場合に単点接触であり、しかし、平面グリッドコネクタ端子の押圧接触により、外力の撃ちまたは端子の塑性変形などの要因による影響に際して、接触が悪いことを生じり、さらに、コネクタの電気性能を影響させる。
【０００４】
他一種の従来の平面グリッド電気コネクタ端子を掲示した（例えば、特許文献４及び特許文献５参照）。この端子は当接した電子部材との電気的な接続が多点接触であり、それは単点接触の欠点を克服できる。しかし、当該端子は円形に纏われ、かつコネクタの絶縁本体に嵌入し、それは当接した電子部材と接触する際に十分な弾性及び変形空間を欠け、かつ当該端子は電気コネクタに取付けにくい。
【０００５】
前記を鑑みて、従来の技術の欠点を克服するために、新型の平面グリッドコネクタ端子を設計することが必要と考えるものである。
【０００６】
【特許文献１】
米国特許第４９２７３６９号明細書
【特許文献２】
米国特許第６１４６１５２号明細書
【特許文献３】
米国特許第５６５３５９８号明細書
【特許文献４】
米国特許第３６３８１６３号明細書
【特許文献５】
米国特許第３７９５８８４号明細書
【０００７】
【発明が解決しようとする課題】
本発明は、隣接した電気コネクタと多点接触で、かつ大きな接触力を持っていることによって、電気的に接続する安定性を向上させる電気コネクタ端子の提供を目的とする。
【０００８】
【課題を解決するための手段】
本発明の電気コネクタ端子は、ワイヤー材料から纏ってなる複数の巻き数の構造であって、絶縁本体内に収容され、隣接した両電気部材を電気的に導接させ、複数の第１接触部、第２接触部及び絶縁本体と弾性的に当接した当接部を含む。かつ該第１接触部、第２接触部はそれぞれ対応した電気部材に反らせ、突出した複数の接触点を突設してなる。当該構造によって、該電気コネクタ端子は隣接した電子部材間と多点式電気的な接触を形成できるため、電気的に接続する安定性を向上することになる。
【０００９】
【発明の実施の形態】
まず、図１及び図２に示すように、本発明の電気コネクタ３は、絶縁本体７と該絶縁本体７内に収納された導電端子４を含み、隣接した第１電子部材５と第２電子部材６とを電気的に導接するために、前記第１電子部材５と第２電子部材６は導電端子４の両接触部と導接する所に対応して別々に第１接触パッド５１と第２接触パッド６１を設けている。
【００１０】
前記導電端子４は導電のワイヤー材料から複数の巻き数を纏ってなるリング状に構成され、該リング状の構造の電子部材に接続した部からそれぞれ対応した電子部材へ複数の第１接触部４１と複数の第２接触部４２が突出され、該第１接触部４１と第２接触部４２との一部はそれぞれ電子部材と対応した絶縁本体７の当接表面から延出され、かつ第１接触部４１と第２接触部４２の曲率半径はその隣接した部の曲率半径より小さく形成される。当該複数の第１接触部４１は絶縁本体７から延出された高さが同じで、当該複数の第２接触部４２は絶縁本体７から延出された高さも同じである。該リング状の構造の両端部は絶縁本体７の端子孔７１の両側壁と弾性的に接触する当接部４３が設けられ、該端子を端子孔７１内に固着させるので、導電端子４の横断面は概略菱形に構成された。
【００１１】
図３に示すように、電気コネクタ端子４は当接部４３により絶縁本体７の端子孔７１内に固着された時、第１電子部材５の第１接触パッド５１と第２電子部材６の第２接触パッド６１はそれぞれ電気コネクタ端子４の第１接触部４１と第２接触部４２とを弾性的に接触し、両者の多点式電気的な接続を達成することになる。
【００１２】
図４は本発明のその他の実施の形態の導電端子４’の斜視図であって、それはシート状の導電材料からなる筒状に構成され、その第１接触部４１’と第２接触部４２’は対応した電子部材に対向して突設され、かつ第１接触部４１’と第２接触部４２’の曲率半径はその隣接した部の曲率半径より小さく形成される。
【００１３】
前記の実施の形態は単なる本願のより良い実施の形態にすぎず、その請求範囲を限定するものではなく、また、当業者が本発明に基づきなしうる細部の変更或は修正は、いずれも本発明の特許請求の範囲に属するものとする。
【図面の簡単な説明】
【図１】本発明の電気コネクタ端子が絶縁本体内に収容され、隣接した両電子部材と結合した斜視見取り図である。
【図２】本発明の電気コネクタ端子の斜視図である。
【図３】本発明の電気コネクタ端子を対応した電子部材と合わせた状態の断面図である。
【図４】本発明のその他の実施の形態の電気コネクタ端子の斜視図である。
【符号の説明】
３　電気コネクタ
４、４’　導電端子
５　第１電子部材
６　第２電子部材
７　絶縁本体
４１、４１’　第１接触部
４２、４２’　第２接触部
４３　当接部
５１　第１パッド
６１　第２パッド
７１　端子孔
【図１】
2004039619.tif 000003
【図２】
2004039619.tif 000004
【図３】
2004039619.tif 000005
【図４】
2004039619.tif 000006